(57)【要約】      （修正有）【課題】簡易かつ多様な場所に設置可能な生物捕捉手段の提供、並びに生物の分布状況を簡易かつ正確に把握できる手段の提供。【解決手段】水域又は陸域に設置する生物捕捉器具Ａであって、対象生物の通行可能な大きさの目合いが形成された網状部材１１により略籠状に形成され、前記籠内に中詰材１２が充填された籠状体１、及び、籠状体１の側面全周１４を被覆することが可能な袋状体２を備え、設置時には、袋状体２が畳まれることにより籠状体の側面全周１４が露出した状態にされ、生物を捕捉する際には、袋状体２を拡げることにより籠状体１の全周側面１４が被覆された状態にされる構成である生物捕捉器具Ａとする。【選択図】図１
2015057046.tif 000002
【特許請求の範囲】
【請求項１】
水域又は陸域に設置する生物捕捉器具であって、
対象生物の通行可能な大きさの目合いが形成された網状部材により略籠状に形成され、前記籠内に中詰材が充填された籠状体、及び、
前記籠状体の下に敷設される底面被覆部と、前記籠状体の側面全周を被覆することが可能な側面被覆部とを少なくとも有する袋状体を備え、
前記設置時には、前記袋状体の前記側面被覆部が畳まれることにより前記籠状体の前記側面全周が露出した状態にされ、
前記生物を捕捉する際には、前記袋状体の前記側面被覆部が拡げられることにより前記籠状体の前記側面全周が被覆された状態にされる構成である生物捕捉器具。
【請求項２】
前記籠状体の前記網状部材が高耐久性素材により形成された請求項１記載の生物捕捉器具。
【請求項３】
被掛止部が前記籠状体の上縁に形成され、前記生物捕捉器具を引上げる際に引上げ手段を前記被掛止部に掛止できる構成である請求項１又は請求項２記載の生物捕捉器具。
【請求項４】
請求項１〜３のいずれか一項記載の生物捕捉器具を特定の場所に設置し、一定期間ごとに該設置地点に生息する生物の定点観測を行う生物生息状況モニタリング方法。
【発明の詳細な説明】
【技術分野】
【０００１】
本発明は、生物捕捉器具、該器具を用いた生物生息状況モニタリング方法などに関連する。より詳細には、対象生物の通行可能な大きさの目合いが形成された網状部材により略籠状に形成され、籠内に中詰材が充填された籠状体、及び、籠状体の下に敷設される底面被覆部と、籠状体の側面全周を被覆することが可能な側面被覆とを少なくとも有する袋状体を備えた生物捕捉器具、該器具を用いた生物生息状況モニタリング方法などに関連する。
【背景技術】
【０００２】
ウナギは、ウナギ科ウナギ属に属する魚類の総称で、ニホンウナギ、オオウナギ、ヨーロッパウナギなど、世界で19種類が知られている。古来より、ヨーロッパ、東アジア地域などでは食用に供され、特に日本では、伝統的かつなじみの深い食材となっている。
【０００３】
日本を含む東アジア全域に生息するニホンウナギは、成長段階ごとに生息場所が異なることが知られている。太平洋のマリアナ諸島付近で産卵し、レプトケファルスと呼ばれる孵化仔魚となった後、ほぼ透明で全長5cm程のシラスウナギとなり、黒潮の潮流に乗って東アジア地域の沿岸域にたどり着くと考えられている。沿岸域に来遊したシラスウナギは、河川・湖沼などの陸水域、沿岸域、汽水域などで成長・成熟する。河川を遡上し、河川・湖沼などの陸水域に定着するもの、遡上せずに湾内・河口などの沿岸域・汽水域にとどまるもの、一回遡上した後再び沿岸域に戻るもの、淡水域と海水域を何度も行き来するものなどがいると考えられている。陸水域・沿岸域・汽水域に定着し、5〜10数年かけて成熟した後、再び産卵場所に向けて回遊すると推測されている。その他のウナギについても、産卵場所・定着場所などが異なる場合もあるが、ほぼ同様の生活形態をとる。
【０００４】
ウナギ漁として、陸水域・沿岸域・汽水域で生育するウナギを捕獲する漁業が伝統的に行われている。これらは天然ウナギを対象とする漁であり、多様な漁法、例えば、延縄、底引き網、ウナギ掻、ウナギ筒、ウナギ倉（石倉）などが知られている。このうち、延縄漁法は、現在の天然ウナギ漁で最も広く行われており、漁獲量も最も大きい漁法である。幹縄に枝針をつけ、餌を取り付けて水中に仕掛け、数時間後に捕り込む。また、ウナギ倉（石倉）漁法は、河口部・河川下流などの浅瀬域で行われている漁法である。中央部に穴を掘り、その周りに、頂部が水面上に出る位まで丸石を積み上げ、塚を形成する。その後、塚の周りに網を張り、積み上げた丸石を取り除き、石の隙間に入り込んで隠れていたウナギを捕獲する。その他のものを含め、天然ウナギ漁は、ウナギの案所に集まる習性を利用したものが多い。
【０００５】
近年、養殖技術の確立、ウナギの消費量の拡大、ウナギ資源の減少などと連関して、ウナギの養殖が広く行われるようになった。現在では、養殖ウナギの消費量は、全消費量の99％以上を占める。現在の主流のウナギの養殖法は、沿岸域に来遊したシラスウナギを養殖用の種苗として捕獲し、ビニールハウス内又は露地の養殖池に放流して餌を与えながら飼育し、成長させる方法である。その他、人工孵化から親ウナギまで成長させ、さらに次世代の稚魚を誕生させる完全養殖について報告されているが、商業化には至っていない。
【０００６】
このように、シラスウナギを用いたウナギ養殖が広く行われるようになり、また、天然ウナギ漁も続けられている一方、ウナギ資源の減少が懸念されており、実際、シラスウナギの漁獲量が大幅に落ち込む年が頻繁に発生するようになっている。ウナギ資源減少の原因として、養殖に用いるシラスウナギの乱獲、親ウナギである天然ウナギの乱獲、河口堰・ダム・護岸の建設などによるウナギの生育環境の変化、エルニーニョ現象などの海洋環境の変化などが指摘されている。
【０００７】
なお、特許文献１には、ウナギの捕獲漁具が記載されている。
【０００８】
その他、ウナギ以外の多数の生物種においても、近年の河畔・海岸などの護岸整備・埋立・浚渫や、開発・森林伐採などによる環境の改変、温暖化などの気候の変化、外来種の導入などによる影響が、水域・陸域を問わず顕在化しており、生物多様性確保や自然環境の体系的保全の観点などから、生態系の変化や特定種の個体数の減少などが懸念されている。
【特許文献１】特開2003-23921号公報
【発明の開示】
【発明が解決しようとする課題】
【０００９】
上記のように、現在でも、天然ウナギ漁のような漁法による生物の捕獲が続けられている。しかし、例えば、ウナギ倉漁法などのように、多くの場合、設置などに労力がかかる場合が多く、また、設置場所も限定される場合が多い。
【００１０】
また、上記の通り、ウナギ資源の減少が懸念されている。シラスウナギの漁獲量の減少は、親ウナギである天然ウナギの減少に起因している可能性がある。しかし、ウナギの生態自体に未解明の部分も多く、実際にどの程度、天然ウナギが減少しているか、その実態を正確に把握できていない。そのため、天然ウナギの分布状況を緊急に把握することが急務となっており、それを簡易かつ正確に把握する手段が必要である。
【００１１】
同様に、ウナギ以外の多数の生物種においても、生物多様性を確保し、自然環境の体系的保全を図るために、水域・陸域を問わず、まずは各生物種の分布状況を把握することが必要である一方、各生物種の分布状況を簡易かつ正確に把握しうる有効な手段は必ずしも見出されていない。
【００１２】
そこで、本発明は、簡易かつ多様な場所に設置可能な生物捕捉手段を提供すること、生物の分布状況を簡易かつ正確に把握できる手段を提供すること、などを目的とする。
【課題を解決するための手段】
【００１３】
本発明は、水域又は陸域に設置する生物捕捉器具であって、対象生物の通行可能な大きさの目合いが形成された網状部材により略籠状に形成され、前記籠内に中詰材が充填された籠状体、及び、前記籠状体の下に敷設される底面被覆部と、前記籠状体の側面全周を被覆することが可能な側面被覆部とを少なくとも有する袋状体を備え、前記設置時には、前記袋状体の前記側面被覆部が畳まれることにより前記籠状体の前記側面全周が露出した状態にされ、前記生物を捕捉する際には、前記袋状体の前記側面被覆部が拡げられることにより前記籠状体の前記側面全周が被覆された状態にされる構成である生物捕捉器具を提供する。
【００１４】
例えば、袋状体の側面被覆部を畳むことにより、籠状体の全周側面が露出した状態でこの生物捕捉器具を水域又は陸域に設置した場合、ウナギを含む各種生物が籠状体の網目を通行可能であり、生物捕捉器具内に入ることができる。この生物捕捉器具の籠状体内には中詰材が積み上げられ、中詰材間に適度な隙間が形成されているため、各種生物は、この隙間を隠れ場所・生育場所として利用し始める。そのため、この生物捕捉器具を一定期間水域又は陸域に設置した場合、この生物捕捉器具が各種生物の生育場所となる。
【００１５】
設置から一定期間経過した後、生物を捕捉する際、まず、生物捕捉器具の袋状体の側面被覆部を拡げ、籠状体の側面全周が被覆された状態にする。これにより、生物捕捉器具内で生育する各種生物が該器具外へ脱出できなくなる。そして、例えば、袋状体の側面被覆部を拡げたまま、中詰材を取り除くことにより、生物捕捉器具内にいた各種生物を捕捉できる。
【００１６】
この生物捕捉器具は、網状部材により形成された籠状体内に中詰材を充填する構成を有する。そのため、例えば、ウナギ倉漁法などにおける石の積み上げ方などのように、長年の経験や熟練の技術などを必要とせず、比較的簡易な作業で設置することができ、クレーン車などの重機を用いた設置も可能である。
【００１７】
また、この生物捕捉器具は、籠状体内に中詰材を充填した一体型の構成である。そのため、陸水域・沿岸域・汽水域や浅瀬域・水深の深い場所・陸域など、多様な場所に設置することが可能であり、各設置場所で一定期間経過後、生物捕捉器具の袋状体の側面被覆部を拡げることにより、多様な場所での生物の捕捉が可能である。
【００１８】
その他、この生物捕捉器具では、針などの捕獲手段を用いずに、生物捕捉器具の袋状体の側面被覆部を拡げることで生物を捕捉するため、生態系への人為的な影響や生物への傷害やストレスを極力与えずに捕捉できるという利点がある。
【００１９】
本発明に係る生物捕捉器具は、上記の通り、網状部材により形成された籠状体内に中詰材を充填する構成である。そのため、例えば、水流・波浪・重圧などによる全体形状の変化が少なく、一定の形状を保持したまま、長期間設置することが可能である。また、いろいろな場所に、ほぼ同じ大きさ・形態のものを設置することが可能であり、生物の捕捉条件を比較的均一に保ちながら繰り返し設置することも可能である。加えて、上記の通り、生物への傷害やストレスを極力与えずに捕捉できるため、生物を捕捉後自然環境中へ戻すことも可能である。従って、この生物捕捉器具は、天然ウナギ漁など、生物の捕獲に利用できるだけでなく、各種生物の生息状況の調査などにも有用である。
【００２０】
例えば、本発明に係る生物捕捉器具を特定の場所に設置し、一定期間ごとに該設置地点に生息する生物の定点観測を行うことにより、設置地域における特定生物の個体数の変化や、特定地域に生息する生物種の変化など、各種生物の生息状況のモニタリングを行うことができる。
【００２１】
例えば、この生物捕捉器具を複数の場所に設置し、一定期間ごとに生物捕捉器具の袋状体の側面被覆部を拡げてウナギやその他の生物を捕捉し、各設置場所における各種生物の頭数・大きさ・状態・その他の生物の定着状況などを観察・記録する。そして、捕捉した個体を再び同じ自然環境中へ戻すとともに、同じ場所に、同じ大きさ・形態の生物捕捉器具を再設置する。これにより、例えば、どの地域にどの種類の生物がどの位の個体数で生息しているか、ウナギなどの場合、陸水域・沿岸域・汽水域のどの水域にどのような割合で生息しているか、各地域における特定の生物の分布状況、各地域・水域・陸域における生物ごとの個体数の経時的変化、その他の生物の分布状況などの継続調査が可能になる。これにより、例えば、天然ウナギなどの場合は、その分布状況を簡易かつ正確に把握することができ、生態の解明にも有用である。また、他の生物種においても、生態系の現状を簡易かつ正確に把握することができ、生物多様性の確保及び自然環境の体系的保全に有用である。
【発明の効果】
【００２２】
本発明により、簡易かつ多様な場所に設置可能な生物捕捉手段を提供できる。また、本発明に係る生物捕捉手段は、各生物種の分布状況などを簡易かつ正確に把握する手段としても有用である。
【発明を実施するための最良の形態】
【００２３】
＜本発明に係る生物補足器具について＞
本発明に係る生物補足器具は、対象生物の通行可能な大きさの目合いが形成された網状部材により略籠状に形成され、前記籠内に中詰材が充填された籠状体、及び、前記籠状体の下に敷設される底面被覆部と、前記籠状体の側面全周を被覆することが可能な側面被覆部とを少なくとも有する袋状体を備え、前記設置時には、前記袋状体の前記側面被覆部が畳まれることにより前記籠状体の前記側面全周が露出した状態にされ、前記生物を捕捉する際には、前記袋状体の前記側面被覆部が拡げられることにより前記籠状体の前記側面全周が被覆された状態にされる構成を少なくとも有するものを全て包含する。
【００２４】
以下、本発明の実施形態の例を、図１及び図２を用いて説明する。なお、本発明は、これらの実施形態のみに狭く限定されない。
【００２５】
図１は本発明に係る生物捕捉器具の設置時における形態の例を示す外観斜視模式図、図２は同生物捕捉時における形態の例を示す外観斜視模式図である。
【００２６】
図１又は図２の生物捕捉器具Ａは、対象生物の通行可能な大きさの目合いが形成された網状部材１１により略籠状に形成され、籠内に中詰材１２が充填された籠状体１、籠状体１の下に敷設される底面被覆部２１と、籠状体１の側面全周１４を被覆することが可能な側面被覆部２２とを少なくとも有する袋状体２、及び、籠状体１の上縁１５に形成された被掛止部３を備えている。図１では、袋状体２を畳み、締結手段２３で拡がらないように固定することにより、籠状体１の側面全周１４が露出した状態が形成されている。図２では、袋状体２の側面被覆部２２を拡げ、その上縁２４に形成された留具２５を、籠状体１の側面の上方に取り付けることにより籠状体１の底面１３及び側面全周１４が被覆された状態が形成されている。
【００２７】
生物捕捉器具Ａは、例えば、石の隙間など、水域又は陸域に存在する、若しくは同域に形成された穴などを住処・隠れ家・生育場所・定着場所などとして利用する生物などを捕捉するための器具である。
【００２８】
捕捉対象となる生物については、例えば、水域又は陸域に存在する、若しくは同域に形成された穴などを住処・隠れ家・生育場所・定着場所などとして利用する性質を有する生物全般が広く包含され、特に限定されない。例えば、水域などでは、天然ウナギ、エビ、カニ、魚類などの、陸域などでは、ヘビ、カエル、昆虫、ネズミ、イタチ、カワセミなどの捕捉に適用可能である。また、一種又は特定の種を捕捉対象とする場合だけでなく、設置場所の周辺に生息する任意の種を捕捉対象とする場合も広く包含する。その他、例えば、本発明を天然ウナギ捕捉器具として用いる場合、この器具は、天然ウナギ生息状況の調査だけでなく、天然ウナギの漁獲などにも有用である。
【００２９】
この生物捕捉器具Ａの設置場所については、水域又は陸域であればよく、捕捉対象・目的・用途などにより適宜定めることができ、特に限定されない。この生物捕捉器具Ａは、籠状体１内に中詰材１２を充填した一体型の構成であるため、例えば、陸水域・沿岸域・汽水域や浅瀬域・水深の深い場所などの水域、里山・雑木林・高台・森林などの陸域など、多様な場所に設置することが可能である。
【００３０】
籠状体１は、網状部材１１により形成され、上面が開放された略籠状の形態を備える。籠内に中詰材１２を充填することにより、人工的な石積み空間が創出され、中詰材間の隙間に生物が入り込み、住処・隠れ家・生育場所・定着場所として利用する。
【００３１】
籠状体１を形成する網状部材１１は、対象生物の通行可能な大きさの目合いが形成されたものであればよく、例えば、網目が略菱形状のもの、略六角形状のものなど、公知のものを広く採用できる。網状部材１１の目合い（網目幅）については、対象生物・目的・用途などにより適宜設定できるが、例えば、天然ウナギの捕捉を主目的とする場合、4.5〜10.0mmが好適であり、5.0〜8.0mmがより好適であり、5.0〜7.0mmが最も好適である。
【００３２】
網状部材１１の太さ・材質などについても、公知のものを広く採用でき、狭く限定されない。網状部材１１の材質として、例えば、鉄線・銅線・ステンレス鋼線・亜鉛めっき鉄線、若しくはそれらをビニールなどのプラスチックで被覆した線材、プラスチック線などを広く採用できる。
【００３３】
本発明では、籠状体１の網状部材１１が高耐久性素材により形成された構成にすることができる。
【００３４】
高耐久性素材としては、例えば、プラスチック線、プラスチックで被覆した線材などが好適であり、例えば、プラスチック線の一つであるポリエステルモノフィラメントがより好適である。
【００３５】
ポリエステルモノフィラメントは、ジカルボン酸とジオールを主原料として製造される熱可塑性エンジニアリングプラスチックである。ポリエステルのジカルボン酸成分としては、例えば、テレフタル酸、2,6-ナフタレンジカルボン酸、イソフタル酸、1,4-シクロヘキサンジカルボン酸などが挙げられ、ジオール成分としては、エチレングリコール、ブチレングリコール、プロピレングリコール、テトラメチレングリコール、1,4-シクロヘキサンジメタノールなどが挙げられる。これらのジカルボン酸成分とジオール成分とを適宜組み合わせて合成されたポリエステルモノフィラメントを適宜使用することができる。この中で、ジカルボン酸成分の90モル％以上がテレフタル酸からなり、ジオール成分の90モル％がエチレングリコールからなるポリエチレンテレフタレートのポリエステルモノフィラメントが最も好適である。
【００３６】
ポリエステルモノフィラメントなどの高耐久性素材を採用することには、（１）耐久性が高く、水中などに長期間設置しても劣化しない、（２）高い形状保持性を備え、水流・波浪・重圧などによっても全体形状の変化を少なくできる他、例えば、中詰材１２を充填した状態で長期間設置したり、生物捕捉器具Ａの回収と設置を繰り返したりした場合にも、生物の捕捉条件を比較的均一に保つことができる、（３）中詰材１２の重量が負荷されてもせん断されない、（４）網目状に形成することにより、適度に撓むため、設置場所が平らでない場合でも、その凹凸の変化に対応して設置できる、などの有利性がある。
【００３７】
中詰材１２は、籠状体１の籠内に充填される部材であり、籠内に中詰材１２を充填することにより、人工的な石積み空間若しくは穴を創出する。中積材１２の間の隙間が、生物の住処・隠れ家・生育場所・定着場所などとなる。
【００３８】
中詰材１２としては、網状部材１１の目合いよりも大きく、籠状体１の籠内に充填できるものであればよく、特に限定されないが、例えば、丸石・玉石・巨礫・大礫や、コンクリートがらなどの石材などを用いることができる。また、生物の好む部材、例えば、粗朶などを他の中詰材に混ぜて用いてもよい。例えば、粗朶を混ぜる場合は、他の中詰材を上から載せたり、籠状体１に固定したりするなどし、粗朶が浮力で籠内から脱出しないように工夫する。
【００３９】
袋状体２は、籠状体１の底面１３及び側面全周１４を少なくとも被覆することが可能な袋状の部材であり、籠状体１の下に敷設される底面被覆部２１と、籠状体１の側面全周１４を被覆することが可能な側面被覆部２２とを少なくとも有する。
【００４０】
設置する際には、袋状体２の側面被覆部２２を畳むことにより籠状体１の側面全周１４を露出した状態にする。これにより、生物が、網状部材１１の網目を通行して生物捕捉器具Ａに出入りすることができ、籠状体１の籠内の中詰材１２間の隙間を住処・隠れ家・生育場所・定着場所などとして利用することができる。
【００４１】
例えば、特定の水域又は陸域に一定期間設置し、生物が生物捕捉器具Ａ内に定着した後、生物を捕捉する際には、袋状体２の側面被覆部２２を拡げることにより籠状体１の側面全周１４を被覆する。これにより、生物捕捉器具Ａ内に定着した生物が同器具Ａの外に脱出できなくなるため、中詰材１２を同器具Ａの外に取り出した後、生物を捕捉できる。
【００４２】
袋状体２の材質については、袋状に形成され、籠状体１の底面１３及び側面全周１４を少なくとも被覆でき、設置時には畳むことが可能なものであればよく、公知のものを広く採用でき、特に限定されない。
【００４３】
例えば、袋状体２として、水の流通が可能で、対象生物の通行が不可能な大きさの目合いが形成された袋状の網材を好適に用いることができる。水の流通可能な網材を用いることで、水中などに設置した場合において生物捕捉器具Ａを回収する際などにおける水抵抗や水の重量負荷を緩和できる。
【００４４】
袋状体２の目合いについては、対象生物・目的・用途などにより適宜設定できるが、例えば、天然ウナギの捕捉を主目的とする場合、0.3〜2.0mmが好適であり、0.5〜2.0mmがより好適であり、1.0〜2.0mmが最も好適である。
【００４５】
水設置する際などにおいて、袋状体２の側面被覆部２２を畳んだ状態にする場合、例えば、図１のように、袋状体２の側面被覆部２２が拡がらないように締結手段２３で固定してもよい。締結手段２３については、袋状体２の側面被覆部２２が畳まれた状態を一定期間維持できるものであればよく、公知の手段を広く採用できる。
【００４６】
また、例えば、籠状体１を略多角柱状に形成する場合、塩化ビニル管などの筒状部材を袋状体２の収納部材として用いてもよい。例えば、壁面の一部を長手方向に所定幅で各両端まで欠損させた筒状部材（即ち、周方向断面略Ｃ字状の筒状部材）を、籠状体１の底面の各辺に対応して複数準備し、それらの欠損部から袋状体２を収納する。これにより、籠状体１の底面の各辺に対応する複数の筒状部材内に袋状体２を収納できるため、収納作業を簡略化できるほか、筒状部材を取り外すだけで袋状体２を拡げることができる状態にすることができるため、籠状体１を袋状体２で被覆する作業も簡略化でき、短時間で行うことが可能となる。その他、例えば、陸域などに生物捕捉器具Ａを設置する場合は、袋状体２を筒状部材に収納することにより、紫外線などによる袋状体２の劣化を防止できるという利点がある。
【００４７】
生物を捕捉する際などにおいて、袋状体２の側面被覆部２２を拡げた状態にする場合、例えば、図２のように、袋状体２の側面被覆部２２を拡げ、その上縁２４に形成された留具２５を、籠状体１の側面の上方に取り付けることにより籠状体１の底面１３及び側面全周１４が被覆された状態で固定してもよい。留具２５については、袋状体２の側面被覆部２２が籠状体１の側面全周１４を被覆した状態を一定期間維持できるものであればよく、公知の手段を広く採用できる。
【００４８】
この生物捕捉器具Ａは、例えば、被掛止部３が前記籠状体１の上縁１５に形成され、前記生物捕捉器具Ａを引上げる際に引上げ手段を前記被掛止部３に掛止できる構成であってもよい。
【００４９】
被掛止部３は、例えば、クレーン車などの重機で生物捕捉器具Ａの設置・回収などを行う場合、ロープなどの引上げ手段を掛止する部位である。
【００５０】
例えば、図１及び図２のように、籠状体１の上縁１５に被掛止部３を形成することにより、クレーン車などの重機を用いて、中詰材１２を充填したまま生物捕捉器具Ａを水域又は陸域に設置、又は水域又は陸域から回収できるため、労力を低減できる。
【００５１】
その際、例えば、籠状体１の上縁１５に、被掛止部３を固定するための補強材を取り付けておくことにより、網状部材１１への重量負荷を分散できるため、クレーン車などの重機による設置・回収を繰り返し行った場合にも籠状体１の形状の崩壊を抑制できる。
【００５２】
＜本発明に係る生物補足器具の設置・回収手順について＞
上述の通り、生物補足器具Ａの袋状体２の側面被覆部２２を畳んで籠状体１の側面全周１４を露出させた状態で水域又は陸域に設置し、一定期間経過後、袋状体２の側面被覆部２２を拡げ籠状体１の側面全周１４が被覆して生物を捕捉する。
【００５３】
生物補足器具Ａの設置手順として、例えば、まず、陸上において、袋状体２の側面被覆部２２を畳んだ状態で、籠状体１の下に袋状体２を取り付けた後、水中又は陸域に運搬し、設置場所に固定する。設置場所への固定には、公知の手段、例えば、アンカーなどの固定手段を用いることができる。例えば、アンカーなどを用いて設置場所に固定する場合、アンカーなどを被掛止部３に引掛した状態で設置場所に打ち込むことにより、生物補足器具Ａを設置場所に固定してもよい。
【００５４】
次に、中詰材１２を籠状体１の籠内に投入する。これにより、生物補足器具Ａの設置が完了する。
【００５５】
また、例えば、水深の深い場所など、人手での中詰材１２の投入が難しい場所に設置する場合、まず、陸上において、籠状体１の下に袋状体２を取り付け、中詰材１２を籠状体１の籠内に充填してから、生物補足器具Ａをクレーン車などの重機で引き上げ、設置場所に移動させ、設置してもよい。
【００５６】
生物補足器具Ａを特定の水域又は陸域に設置し、一定期間放置する。この間に、中詰材１２間の隙間に生物が入り込み、住処・隠れ家・生育場所・定着場所として利用する。
【００５７】
一定期間経過後、生物補足器具を回収し、生物を捕捉する。
【００５８】
生物補足器具Ａの回収手順として、例えば、まず、設置場所において、袋状体２の側面被覆部２２を拡げ籠状体１の側面全周１４を被覆し、留具２５などで固定する。
【００５９】
次に、中詰材１２を籠状体１の籠の外に取り出す。例えば、水域に設置した場合は、アンカーなどの固定手段を取り外し、籠状体１と袋状体２とを一体化した状態のまま陸上又は船上に揚げてもよい。そして、籠状体１を取り外し、袋状体２内に捕捉された生物を採集する。生物を採集した後、上記と同様の手順により、生物補足器具Ａを再び同じ場所に設置してもよい。
【００６０】
また、例えば、水深の深い場所などに設置した場合、まず、水域において、袋状体２の側面被覆部２２を拡げ籠状体１の側面全周１４を被覆し、留具２５などで固定し、アンカーなどの固定手段を取り外した後、生物補足器具Ａをクレーン車などの重機で陸上又は船上に引き上げてもよい。その場合、生物補足器具Ａを引き上げた後、中詰材１２を籠状体１の籠の外に取り出し、袋状体２内に捕捉された生物を採集する。
【００６１】
＜本発明に係る生物生息状況モニタリング方法について＞
本発明に係る生物生息状況モニタリング方法は、例えば、上述の生物捕捉器具を特定の場所に設置し、一定期間ごとに該設置地点に生息する生物の定点観測を行うものを全て包含する。
【００６２】
上述の通り、本発明に係る生物捕捉器具は、例えば、水流・波浪・重圧などによる全体形状の変化が少なく、一定の形状を保持したまま、長期間設置することが可能である。また、いろいろな場所に、ほぼ同じ大きさ・形態のものを設置することが可能であり、生物の捕捉条件を比較的均一に保ちながら繰り返し設置することも可能である。加えて、上記の通り、生物を極力傷つけずに捕捉できるため、生物に極力ストレスを与えずに、捕捉後自然環境に戻すことも可能である。従って、この生物捕捉器具は、生物の生息状況の調査などに有用である。
【００６３】
例えば、この生物捕捉器具を複数の場所に設置し、一定期間ごとに生物捕捉器具の袋状体の側面被覆部を拡げてウナギやその他の生物を捕捉し、各設置場所における各種生物の頭数・大きさ・状態・その他の生物の定着状況などを観察・記録する。そして、捕捉した個体を再び同じ自然環境中へ戻すとともに、同じ場所に、同じ大きさ・形態の生物捕捉器具を再設置する。これにより、例えば、どの地域にどの種類の生物がどの位の個体数で生息しているか、ウナギなどの場合、陸水域・沿岸域・汽水域のどの水域にどのような割合で生息しているか、各地域における特定の生物の分布状況、各地域・水域・陸域における生物ごとの個体数の経時的変化、その他の生物の分布状況などの継続調査が可能になる。これにより、例えば、天然ウナギなどの場合は、その分布状況を簡易かつ正確に把握することができ、生態の解明にも有用である。また、他の生物種においても、生態系の現状を簡易かつ正確に把握することができ、生物多様性の確保及び自然環境の体系的保全に有用である。
【００６４】
上述の通り、近年、ウナギ資源の減少が懸念されているが、ウナギの生態自体に未解明の部分も多く、実際にどの程度、天然ウナギが減少しているか、その実態を正確に把握できていない。それに対し、本発明に係る生物捕捉器具を用いた生物生息状況モニタリング方法は、天然ウナギ生息状況モニタリング方法として、天然ウナギの分布状況を簡易かつ正確に把握できる手段としても有用である。
【図面の簡単な説明】
【００６５】
【図１】本発明に係る生物捕捉器具の設置時における形態の例を示す外観斜視模式図。
【図２】本発明に係る生物捕捉器具の生物捕捉時における形態の例を示す外観斜視模式図。
【符号の説明】
【００６６】
１            籠状体
１１          網状部材
１２          中詰材
１３          籠状体１の底面
１４          籠状体１の側面全周
１５          籠状体１の上縁
２            袋状体
２１          底面被覆部
２２          側面被覆部
２３          袋状体２の締結手段
２４          袋状体２の上縁
２５          袋状体２の留具
３            被掛止部
Ａ            生物捕捉器具
【図１】
2015057046.tif 000003
【図２】
2015057046.tif 000004